(57)【要約】【課題】ボールの表面に地割り線を罫描いてボール表面の地割りを容易且つ迅速に行えるようにする。【解決手段】有底の容器１の底板２の中心に穿設された待針挿入用の穴２ａに底部から待針３を挿入して容器１に回転可能に嵌合させて入れたボール４に突き差し、待針３で支持してボール４を回すようにしてなり、底板２の底面より容器上面までの高さＨをボール４の中心より僅かに高くなるようにして、容器上面に罫描き用のガイド溝１ａ，１ａ，…をボール４の中心の高さと一致するようにして円周等分に設けたことを特徴とするボールの地割り用罫描き具である。【選択図】図１
0003102279.tif 000002
【実用新案登録請求の範囲】
【請求項１】
ボールが回転可能に嵌合されて底面からの高さがボールの中心より僅かに高くなるように形成された有底の容器にして、底板の中心に待針挿入用の穴を穿設すると共に、容器上面に罫描き用のガイド溝がボール中心の高さと一致するようにして円周等分に設けられてなることを特徴とするボールの地割り用罫描き具。
【請求項２】
ボールが回転可能に嵌合されて底面からの高さがボール中心より僅かに高くなるように形成された有底の容器が、円筒形の容器に形成されてなることを特徴とする請求項１記載のボールの地割り用罫描き具。
【請求項３】
ボールが回転可能に嵌合され、底面からの高さがボール中心より僅かに高くなるように形成された有底の容器が、四角箱状の容器に形成されてなることを特徴とする請求項１記載のボールの地割り用罫描き具。
【請求項４】
罫描き用のガイド穴が、容器上面に設けられた罫描き用のガイド溝より下方へ等間隔に複数箇所穿設されてなることを特徴とする請求項１乃至請求項３のいずれか１項に記載のボールの地割り用罫描き具。
【考案の詳細な説明】
【技術分野】
【０００１】
本考案は、手毬など、ボールに糸を巻くため、ボールの表面に地割り線を容易且つ迅速に罫描けるようにした地割り用罫描き具に関するものである。
【背景技術】
【０００２】
ボールに糸を巻いて手毬を造るにおいては、従来巻尺等をボールの赤道部に巻き、ボールの全周長を複数に等分した値を巻尺で読み取りながら、ボール表面に等分点を待針にて印した後、ボールの北極点と南極点を通るように縦地割り糸を巻いてボール表面の地割りを行い、次いで縦地割りの糸の中点を中心にして上記と同様の要領でボール表面を横地割糸で地割りを行うやり方が一般的に行われているが、ボールの大円部を複数に等分する場合に巻尺から得られたボールの全周長の値を等分計算して、得られた計算値に基づいて印を付けなければならず、計算が面倒で地割り作業能率が向上しない問題点や、計算間違いや目盛の読み間違いが発生するという問題点があった。
【０００３】
又、上記問題点の改善策として、特許文献１には手毬のボールの大円部の全周長を複数に等分する各種の等分目盛が形成された等分尺形成定規と、横地割り用の基準点を設けるために球面幾何から割り出された目盛を有する組合せ等分尺と、球面六角形を形成するための拡がり角度を有する扇状本体の両側縁に同間隔に印された目盛を有する６角分定規とを用いて、ボール表面に地割りを行うと共に、補助線にて多角形部を形成するようにした手毬の製造方法が開示されている。
【特許文献１】特開平５−１３１０３９号公報
【０００４】
しかしながら、上記特許文献１に開示された手毬の製造方法によれば、ボールの表面に地割りを行うのに等分尺形成定規や組合せ等分尺、六角分定規等を用いて計算の面倒さや計算間違い、目盛の取り間違い等をなくするようにはしているが、テープに等分尺形成定規で等分目盛を付して等分尺としたり、等分尺をボールの赤道部に沿って巻き、等分尺の目盛が示すボールの赤道部に待針を打って、赤道部の大円部を等分する等分点をマークしてボールの表面を縦地割りし、更に組合せ等分尺の零点をボールの北極点若しくは南極点に位置させると共に、複数の縦地割り糸のうち一本おきに位置する縦地割りに糸を沿わせた状態で、組合せ等分尺に印された目盛が示すボールの表面に待針を打つことにより横地割り基準点をマークしたりするなど多岐に亘り、ボール表面の地割り作業が容易且つ迅速に行えない問題点を有している。
【考案の開示】
【考案が解決しようとする課題】
【０００５】
本考案は、上記問題点に鑑みてなされたものであり、等分尺形成定規や組合せ等分尺、六角分定規等を使用することなくボール表面に地割り線が罫描けるようにして地割り作業が容易且つ迅速に行えるようにしたボールの地割り用罫描き具を提供することを課題とするものである。
【課題を解決するための手段】
【０００６】
上記課題を達成するために、本考案は以下に記載するような手段を講じてなるボールの地割り用罫描き具とした。
すなわち、
（１）ボールが回転可能に嵌合されて底面からの高さがボールの中心より僅かに高くなるように形成された有底の容器にして、底板の中心に待針挿入用の穴を穿設すると共に、容器上面に罫描き用のガイド溝がボール中心の高さと一致するようにして円周等分に設けられてなることを特徴とするボールの地割り用罫描き具。
（２）ボールが回転可能に嵌合されて底面からの高さがボール中心より僅かに高くなるように形成された有底の容器が、円筒形の容器に形成されてなることを特徴とする前項（１）記載のボールの地割り用罫描き具。
（３）ボールが回転可能に嵌合されて底面からの高さがボール中心より僅かに高くなるように形成された有底の容器が、四角箱状の容器に形成されてなることを特徴とする前項（１）記載のボールの地割り用罫描き具。
（４）罫描き用のガイド穴が、容器上面に設けられた罫描き用のガイド溝より下方へ等間隔に複数箇所穿設されてなることを特徴とする前項（１）乃至（３）のいずれか１項に記載のボールの地割り用罫描き具。
である。
【０００７】
そして、上記手段を講じてなるボールの地割り用罫描き具を使用し、底部より待針を挿入してボールに突き差し、容器上面のガイド溝に罫描き用のペンをガイドさせてボール表面に押し当てた状態でボールを回すとボール表面に横中心線（赤道線）が罫描かれ、容器上面を円周等分したガイド溝位置でマークすることにより横中心線の円周が等分され、等分された横中心線を縦にして各等分点を通る線を前記横中心線を罫描いたのと同様に罫描くことにより、ボール表面に縦地割り線が罫描かれ、ボール表面の縦地割りを行うことができる。
【０００８】
次いで、ボールに罫描かれた前記縦地割り線を横にして、前記同様ガイド溝位置でマークすることにより縦地割り線の円周が等分され、等分された縦地割り線を縦にして各等分点を通る線を、前記横中心線（赤道線）を罫描いたのと同様に罫描くことにより横地割り線が罫描かれ、ボール表面の横地割りを行うことができる。
【０００９】
又、前記底部より待針を挿入して突き差し、ガイド溝の下方へ等間隔に複数箇所穿設されたガイド穴より罫描き用のペンを差込んでボール表面に押し当てた状態でボールを回すと、前記横中心線の下方に横中心線と平行な横線が等間隔に罫描かれる。
【００１０】
ボールが回転可能に嵌合され、底面からの高さがボール中心より僅かに高くなるように形成される有底容器は、円筒形の容器に形成されるのがシンプルで、製作上好ましいが、四角箱状の容器にボールが回転可能に嵌合するように形成されても良い。
【考案の効果】
【００１１】
以上の如く、本考案は、ボールが回転可能に嵌合されて底面からの高さがボールの中心より僅かに高くなるように形成された有底の容器にして、底板の中心に待針挿入用の穴を穿設すると共に、容器上面に罫描き用のガイド溝がボール中心の高さと一致するようにして円周等分に設けられてなるボールの地割り罫描き用具であり、底部より待針を挿入してボールに突き差し、容器上面に円周等分に設けられたガイド溝に罫描き用のペンをガイドさせてボール表面に押し当てた状態でボールを回すことにより横中心線（赤道線）や縦地割り線、横地割り線が罫描かれると共に、罫描かれた横中心線や縦地割り線、横地割り線の円周が前記ガイド溝位置でマークすることにより等分されてボールの地割り作業が容易且つ迅速に行える。
【００１２】
又、ボールの地割り作業が、複数の定規、及び複数の定規を組み合わせるなどして行うことなく、一体で行える。
【００１３】
更に、形状及び構成は極めてシンプルなものであり、安価に製作できる。
【考案を実施するための最良の形態】
【００１４】
本考案を実施するための最良の形態は、有底の容器の底板中心に待針挿入用の穴を穿設し、容器上面に罫描き用のガイド溝を円周等分に設けることによりボール表面の地割り作業を容易且つ迅速に行えるようにしたものであり、以下実施例にて図面に基づいて説明する。
【実施例１】
【００１５】
図１は、本考案の実施例を示す図面であり、（Ａ）はその縦断面図，（Ｂ）は斜視図である。
有底の容器１の底板２に穿設された待針挿入用の穴２ａに底部から待針３を挿入し、容器１に回転可能に嵌合させて入れたボール４に突き差し、待針３で支持してボール４を回すようにしてある。待針挿入用の穴２ａは待針の頭に合わせて直径が５ｍｍ程度の穴としてある。
【００１６】
底板２の底面より容器上面までの高さＨは、ボール４の中心より僅かに高くなるようにして容易上面に罫描き用のガイド溝１ａ，１ａ，…がボール４の中心の高さと一致するようにして円周等分に設けられている。
【００１７】
そして、前記ガイド溝１ａ，１ａ，…のいずれか一箇所に罫描き用のペンをガイドさせてボール面に押し当てた状態でボール４を回すことによりボール４に横中心線（赤道線）が罫描かれ、ガイド溝１ａ，１ａ，…がそれぞれの位置をマークすることにより前記横中心線の円周が等分される。
【００１８】
有底の容器１は図２に示すように、円筒形の容器にして底板２の中心に待針挿入用の穴２ａが穿設されており、容器上面にはガイド溝１ａ，１ａ，…が、図２の（ａ）においては６箇所、図２の（ｂ）においては８箇所にそれぞれ円周等分されて設けられている。或いは、円周６箇所に等分したガイド溝と、円周８箇所に等分したガイド溝とを色分けして一体の容器に設けても良い。
【００１９】
又、ガイド溝１ａ，１ａ，…のいずれか１箇所の下方の容器側面には、罫描き用のガイド穴１ｂ，…が下方へ等間隔に穿設されており、該ガイド穴に罫描き用のペンを挿入してボール面に当てた状態でボールを回すことにより横中心線に平行な横線が等間隔に罫描ける。
【００２０】
前記有底の容器１は、ボール４の下半分が容器外から透けて見えるように透明な合成樹脂等により形成されるのが好ましいが、限定するものではなく、金属製であっても良い。
【００２１】
又、前記有底の容器は１は、円筒形の容器の方がシンプルで安価に製作できて好ましいが、限定するものではなく、例えば図３に示すように四角箱状の容器１Ａに形成してボール４を回転可能に嵌合させ、底部より待針を挿入してボールに突き差すようにし、容器上面の円周に罫描き用のガイド溝１ａ，１ａ，…を設け、容器側面に最も近いガイド溝１ａの下方に罫描き用のガイド穴１ｂ，…を下方へ等間隔に穿設してある。
【００２２】
ボール４は待針で突き差し可能な発泡スチロール製ボールやゴム製のボールを用いるのが好ましいが、予め待針突き差し用の穴をキリ等であければこの限りでない。
【００２３】
次に、以上のようにしてなる本考案によりボールの表面を地割りするための地割り線を罫描くについて図４にて説明する。
図４の（ａ）の罫描き用のガイド溝を円周６箇所に等分して設けた場合の本考案によるボール表面の地割り線の罫描き図であり、図４の（ｂ）は罫描き用のガイド溝を円周８箇所に等分して設けた場合の本考案によるボール表面の地割り線の罫描き図である。
【００２４】
図４に示す地割り線を罫描くには、図１に示すようにボール４を有底の容器１に入れて嵌合させ、底部より底板２の穴２ａに待針３を挿入してボール４に突き差し、前記容器１の上面円周に等分にして設けられたガイド溝１ａ，１ａ，…のいずれか１箇所に罫描き用のペン（図示せず）をガイドさせて押し当てた状態で、ボール４を回すと横中心線（赤道線）５が罫描かれ、横中心線の円周は、前記ガイド溝１ａ，１ａ，…の位置でマークすることにより等分されて、等分点５ａ，５ａ，…が印される。
【００２５】
次いで、待針３を抜き、前記横中心線が縦方向になるようにボール４を回して横中心線に符された等分点５ａ，５ａ，…をガイド溝１ａ，１ａ，…のいずれか１箇所に合わせながら順次待針３を底部から挿入して突き差し、前記同様にしてボール４を回すと等分点５ａ，５ａ，…を通る縦地割り線６，６，…が罫描かれ、該縦地割り線の円周も前記ガイド溝１ａ，１ａ，…位置にてマークすることにより等分されるから、待針３を抜いて縦地割り線を縦方向にし、縦地割り線に符された等分点（図示せず）を前記同様ガイド溝１ａ，１ａ，…のいずれか１箇所に合わせながら順次待針３を底部から挿入して突き差し、ボール４を回すと横地割り線（図示せず）が罫描かれる。
【００２６】
更に、前記ガイド溝１ａ，１ａ，…の下方へ容器側面に等間隔に穿設された罫描き用のガイド穴１ｂ，…にペンを挿入ガイドさせてボール４の表面に押し当てた状態でボール４を回すと横中心線５に平行な横線７，…が罫描ける。
以上のようにして、各地割り線を順次罫描くことにより、ボール表面の地割りを行う。
【産業上の利用可能性】
【００２７】
ボール（球体）に罫描き線を等分に罫描くことにより、手毬などボールに糸を正確に巻く地割り以外に、例えばボール（球体）を罫描き線に沿って等分に分割切断するための罫描き用具としても利用の可能性がある。
【図面の簡単な説明】
【００２８】
【図１】本考案の実施例を示す図面で、（Ａ）は縦断面図，（Ｂ）は斜視図である。（実施例１）
【図２】円筒形の容器の斜視図である。
【図３】四角箱状の容器による実施例を示す斜視図である。（実施例２）
【図４】本考案により表面に地割り線を罫描いて地割りしたボールの斜視図である。
【符号の説明】
【００２９】
１，１Ａ  容器
１ａ  ガイド溝
１ｂ  ガイド穴
２  底板
２ａ  穴
３  待針
４  ボール
５  横中心線
５ａ  等分点
６  縦地割り線
７  横線
【図１】
0003102279.tif 000003
【図２】
0003102279.tif 000004
【図３】
0003102279.tif 000005
【図４】
0003102279.tif 000006